(57)【要約】【課題】呼出が終了したときに、インターホン親機に故障などの異常が発生したと利用者が勘違いしにくいこと。【解決手段】インターホン親機１０は、通信部１１と、報知部１２１と、を備える。通信部１１は、利用者が利用する第１エリアに設けられて、第２エリアに設置されたインターホン子機２０が来訪者による操作を受けることをトリガとして、インターホン子機２０との間で通信可能に構成されている。報知部１２１は、インターホン子機２０及び通信部１１を介した来訪者から利用者への呼出が終了すると、呼出が終了した旨を利用者へ報知する。【選択図】図１
2019140580.tif 000002
【特許請求の範囲】
【請求項１】
利用者が利用する第１エリアに設けられて、第２エリアに設置されたインターホン子機が来訪者による操作を受けることをトリガとして、前記インターホン子機との間で通信可能な通信部と、
前記インターホン子機からの呼出が終了すると、前記呼出が終了した旨を前記利用者へ報知する報知部と、を備える
インターホン親機。
【請求項２】
表示部を更に備え、
前記報知部は、前記呼出が終了した旨を表す画像を前記表示部に表示する、
請求項１記載のインターホン親機。
【請求項３】
前記通信部は、前記第２エリアにて撮影された画像を、前記インターホン子機を介して取得可能であり、
前記報知部は、前記呼出が終了する前に前記第２エリアにて撮影された画像を前記表示部に表示する、
請求項２記載のインターホン親機。
【請求項４】
前記呼出が終了してから一定期間、前記通信部から前記インターホン子機へ通信可能な状態を維持する、
請求項１〜３のいずれか１項に記載のインターホン親機。
【請求項５】
前記通信部は、前記一定期間にて、前記利用者の操作に応じて、前記呼出を行った前記インターホン子機との通話を要求する通話要求信号を送信する、
請求項４記載のインターホン親機。
【請求項６】
前記通信部は、前記一定期間にて、前記利用者の操作に応じて、前記呼出を行った前記インターホン子機に対する呼出を要求する呼出要求信号を送信する、
請求項４又は５に記載のインターホン親機。
【請求項７】
前記インターホン子機は複数であって、前記複数のインターホン子機は、それぞれ複数の第２エリアに設置されており、
前記報知部は、前記複数のインターホン子機のうちいずれのインターホン子機からの前記呼出であるかを表す情報を前記利用者へ報知する、
請求項１〜６のいずれか１項に記載のインターホン親機。
【請求項８】
請求項１〜７のいずれか１項に記載のインターホン親機と、
前記インターホン子機と、を備える、
インターホンシステム。
【請求項９】
前記インターホン子機は、前記呼出が終了してから一定期間、前記インターホン子機と前記通信部との間で通信可能な状態である旨を前記来訪者へ報知する、
請求項８記載のインターホンシステム。
【請求項１０】
請求項１〜７のいずれか１項に記載のインターホン親機の前記通信部との間で通信可能であり、前記呼出が終了すると、前記呼出が終了した旨を前記来訪者へ報知する、
インターホン子機。
【請求項１１】
利用者が利用する第１エリアに設けられて、第２エリアに設置されたインターホン子機が来訪者による操作を受けることをトリガとして、前記インターホン子機との間で通信可能なインターホン親機として機能する機器の制御方法であって、
前記インターホン子機からの呼出が終了すると、前記呼出が終了した旨を前記利用者へ報知させる、
制御方法。
【請求項１２】
利用者が利用する第１エリアに設けられて、第２エリアに設置されたインターホン子機が来訪者による操作を受けることをトリガとして、前記インターホン子機との間で通信可能なインターホン親機として機能する機器を制御するためのプログラムであって、
コンピュータシステムに、
前記インターホン子機からの呼出が終了すると、前記呼出が終了した旨を前記利用者へ報知させる報知処理を実行させるための、
プログラム。
【発明の詳細な説明】
【技術分野】
【０００１】
本開示は、一般にインターホン親機、インターホンシステム、インターホン子機、制御方法、及びプログラムに関する。より詳細には、本開示は、インターホン子機と通話可能なインターホン親機、インターホンシステム、インターホン子機、制御方法、及びプログラムに関する。
【背景技術】
【０００２】
特許文献１には、インターホン子機とインターホン親機との間で通話可能なインターホンシステムが開示されている。このインターホンシステムは、住戸の外玄関又は集合住宅の共用玄関などに設置されるインターホン子機と、住戸内に設置されてインターホン子機との間で通話を行うインターホン親機と、で構成されている。
【０００３】
このインターホンシステムでは、来訪者がインターホン子機にてインターホン親機を呼び出す操作を行うと、インターホン親機から呼出音が鳴動される。そして、応対者（利用者）がインターホン親機の応答釦を操作すると、インターホン親機とインターホン子機との間でインターホン通話が可能となる。
【先行技術文献】
【特許文献】
【０００４】
【特許文献１】特開２０１２−１５９７４号公報
【発明の概要】
【発明が解決しようとする課題】
【０００５】
ところで、特許文献１に記載のインターホンシステムでは、来訪者による呼出に利用者が気付かないとき、又は利用者が呼出に対して応答する余裕がないとき等に、利用者が呼出に応答することなく呼出が終了する場合がある。このような場合、特許文献１に記載のインターホンシステムでは、呼出が不意に終了することで、インターホン親機に故障などの異常が発生したと利用者が勘違いしてしまう、という問題があった。
【０００６】
本開示は、上記の点に鑑みてなされており、呼出が終了したときに、インターホン親機に故障などの異常が発生したと利用者が勘違いしにくいインターホン親機、インターホンシステム、インターホン子機、制御方法、及びプログラムを提供することを目的とする。
【課題を解決するための手段】
【０００７】
本開示の一態様に係るインターホン親機は、通信部と、報知部と、を備える。前記通信部は、利用者が利用する第１エリアに設けられて、第２エリアに設置されたインターホン子機が来訪者による操作を受けることをトリガとして、前記インターホン子機との間で通信可能に構成されている。前記報知部は、前記インターホン子機からの呼出が終了すると、前記呼出が終了した旨を前記利用者へ報知する。
【０００８】
本開示の一態様に係るインターホンシステムは、上記のインターホン親機と、前記インターホン子機と、を備える。
【０００９】
本開示の一態様に係るインターホン子機は、上記のインターホン親機の前記通信部との間で通信可能であり、前記呼出が終了すると、前記呼出が終了した旨を前記来訪者へ報知する。
【００１０】
本開示の一態様に係る制御方法は、インターホン親機として機能する機器の制御方法である。前記インターホン親機は、利用者が利用する第１エリアに設けられて、第２エリアに設置されたインターホン子機が来訪者による操作を受けることをトリガとして、前記インターホン子機との間で通信可能に構成されている。この制御方法は、前記インターホン子機からの呼出が終了すると、前記呼出が終了した旨を前記利用者へ報知させる。
【００１１】
本開示の一態様に係るプログラムは、インターホン親機として機能する機器を制御するためのプログラムである。前記インターホン親機は、利用者が利用する第１エリアに設けられて、第２エリアに設置されたインターホン子機が来訪者による操作を受けることをトリガとして、前記インターホン子機との間で通信可能に構成されている。このプログラムは、コンピュータシステムに、報知処理を実行させるためのプログラムである。前記報知処理は、前記インターホン子機からの呼出が終了すると、前記呼出が終了した旨を前記利用者へ報知させる処理である。
【発明の効果】
【００１２】
本開示は、呼出が終了したときに、インターホン親機に故障などの異常が発生したと利用者が勘違いしにくい、という利点がある。
【図面の簡単な説明】
【００１３】
【図１】図１は、実施形態１に係るインターホン親機及びインターホン子機を備えたインターホンシステムを示すブロック図である。
【図２】図２は、同上のインターホン親機の外観を示す概略正面図である。
【図３】図３は、同上のインターホンシステムの適用例を示す概略図である。
【図４】図４は、同上のインターホンシステムの動作の一例を示すシーケンス図である。
【図５】図５は、比較例のインターホンシステムの動作の一例を示すシーケンス図である。
【図６】図６は、実施形態２に係るインターホン親機及びインターホン子機を備えたインターホンシステムの動作の一例を示すシーケンス図である。
【図７】図７は、同上のインターホン親機の表示部に表示される画面の一例を示す図である。
【発明を実施するための形態】
【００１４】
（実施形態１）
（１）概要
実施形態１に係るインターホンシステム１は、図１に示すように、インターホン親機１０と、インターホン子機２０と、制御装置３０と、を備えている。本実施形態では、インターホンシステム１が集合住宅用のインターホンシステムである場合を例として説明する。また、ここでは、インターホン親機１０の概要について説明し、インターホン子機２０及び制御装置３０については、後述する「（２）構成」にて説明する。
【００１５】
インターホン親機１０は、例えば、集合住宅の住戸である施設内（第１エリアＡ１）に設置される室内親機である。インターホン子機２０は、例えば、集合住宅のロビーなどの共用スペース（第２エリアＡ２）に設置されるロビーインターホンである（図３参照）。インターホン親機１０とインターホン子機２０とは、制御装置３０を介して互いに通信可能に構成されている。これにより、本実施形態に係るインターホンシステム１では、インターホン親機１０とインターホン子機２０との間で通話可能となる。
【００１６】
インターホン親機１０は、通信部１１と、報知部１２１と、を備えている。通信部１１は、インターホン親機１０が設けられているエリア、すなわち利用者が利用する第１エリアＡ１（ここでは、居住者が住む住戸）に設けられている。通信部１１は、第２エリアＡ２（ここでは、共用スペース）に設置されたインターホン子機２０（ここでは、ロビーインターホン）が来訪者Ｂ１（図７Ａ参照）による操作を受けることをトリガとして、インターホン子機２０との間で通信可能に構成されている。つまり、インターホン親機１０は、来訪者Ｂ１がインターホン子機２０を操作して呼出を行うことで、インターホン子機２０との間で通信を行うことができる。言い換えれば、インターホン親機１０は、呼出を受けていない状態においては、利用者（ここでは、居住者）による操作を受け付けても、インターホン子機２０との間で通信を行うことができない。本開示でいう「呼出」は、インターホン子機２０を操作して来訪者Ｂ１が訪問先の第１エリアＡ１（ここでは、住戸）を呼び出すこと、つまり、来訪者Ｂ１が訪問先の第１エリアＡ１にいる利用者を呼び出すことをいう。また、本開示でいう「来訪者」は、住戸の居住者であって、外出先から帰宅するためにロビーを訪れる人も含む。
【００１７】
報知部１２１は、インターホン子機２０の呼出が終了すると、呼出が終了した旨を利用者へ報知する。このように、本実施形態では、インターホン子機２０からの呼出が終了すると、呼出が終了した旨が利用者へ報知される。このため、本実施形態では、呼出が終了したときに、インターホン親機１０が何らの反応をせずに待機状態へと移行する場合と比較して、インターホン親機１０に故障などの異常が発生したと利用者が勘違いしにくい、という利点がある。本開示でいう「待機状態」とは、インターホン親機１０が呼出を待ち受けている状態である。待機状態においては、例えばインターホン親機１０のスピーカ１５１（後述する）からは何の音も出力されず、かつ、インターホン親機１０の表示部１３（後述する）には、何も表示されない。
【００１８】
つまり、呼出が終了したときに、インターホン親機１０が何らの反応をせずに待機状態へと移行した場合、利用者からは、呼出中にインターホン親機１０が何の反応も示さなくなったように見え、インターホン親機１０が故障したと勘違いする可能性がある。一方、本実施形態では、呼出が終了したときに、インターホン親機１０が呼出の終了した旨を報知するので、利用者は、呼出が終了したことを把握することができる。したがって、本実施形態では、呼出が終了したときに、インターホン親機１０に故障などの異常が発生したと利用者が勘違いしにくい。
【００１９】
（２）構成
以下、本実施形態に係るインターホンシステム１に含まれるインターホン親機１０、インターホン子機２０、及び制御装置３０について図１〜図３を用いて詳細に説明する。以下の説明では、特に断りのない限り、「利用者」を「居住者」として説明する。インターホンシステム１は、１つの建物が有する１以上のロビーにそれぞれ設置される１以上のインターホン子機２０と、１つの建物に入居する複数の住戸のそれぞれに設置される複数のインターホン親機１０と、を有している。１以上のインターホン子機２０は、それぞれ来訪者Ｂ１の操作によって呼出を行うことにより、複数のインターホン親機１０のうちの任意のインターホン親機１０と通信することが可能である。
【００２０】
以下では、１以上のインターホン子機２０のうち１台のインターホン子機２０のみについて説明する。残りのインターホン子機２０については、この１台のインターホン子機２０と同じ構成であるため、説明を省略する。また、以下では、複数のインターホン親機１０のうち、上記の１台のインターホン子機２０と通信可能な１台のインターホン親機１０について説明する。残りのインターホン親機１０については、この１台のインターホン親機１０と同じ構成であるため、説明を省略する。
【００２１】
（２．１）インターホン親機
まず、インターホン親機１０の構成について説明する。インターホン親機１０は、図１に示すように、通信部１１と、制御部１２と、表示部１３と、操作部１４と、通話部１５と、を備えている。
【００２２】
通信部１１は、インターホン子機２０と通信するための通信インタフェースである。通信部１１は、例えばツイストペア線等からなる２線式の伝送路を介して、制御装置３０及びインターホン子機２０と電気的に接続されている。通信部１１は、インターホン子機２０との間で音声信号及び制御信号などの種々の信号が双方向に伝送可能となるように、インターホン子機２０（後述する通信部２１）との間で双方向に通信可能に構成されている。本実施形態では、既に述べたように、通信部１１は、インターホン子機２０が来訪者Ｂ１による操作を受けることをトリガとして、インターホン子機２０との間で通信可能に構成されている。したがって、インターホン親機１０がインターホン子機２０と双方向に通信可能なのは、原則、インターホン親機１０及びインターホン子機２０を介して来訪者Ｂ１と居住者とが通話している期間である。
【００２３】
制御部１２は、例えばプロセッサ及びメモリを有するマイクロコンピュータで構成されている。そして、プロセッサがメモリに格納されているプログラムを実行することにより、マイクロコンピュータが制御部１２として機能する。プロセッサが実行するプログラムは、ここではマイクロコンピュータのメモリに予め記録されているが、メモリーカード等の非一時的な記録媒体に記録されて提供されてもよいし、インターネット等の電気通信回線を通じて提供されてもよい。
【００２４】
制御部１２は、インターホン子機２０との間で通話が可能な状態である場合に、通話部１５のマイクロホンから居住者の音声のデータ（音声信号）を受信すると、受信した音声信号を、通信部１１を介してインターホン子機２０へ送信する。また、制御部１２は、インターホン子機２０との間で通話が可能な状態である場合に、インターホン子機２０から来訪者Ｂ１の音声信号を受信すると、受信した音声信号を通話部１５のスピーカ１５１に出力する。このときスピーカ１５１は、受信した音声信号を基に音声を出力する。
【００２５】
また、制御部１２は、インターホン子機２０から通信部１１を介して画像信号を受けて、画像処理を行う。この場合、表示部１３は、制御部１２で処理された画像を表示する。ここで、画像信号は、インターホン子機２０の撮像部２３（後述する）で撮影された画像（映像を含む）のデータを含んでいる。つまり、制御部１２は、通信部１１にて画像信号を受信した場合、インターホン子機２０にて撮影された画像を表示部１３に表示することが可能である。
【００２６】
制御部１２は、報知部１２１を有している。報知部１２１は、呼出が終了すると、呼出が終了した旨を居住者へ報知する。呼出は、例えば呼出終了信号をインターホン親機１０が受信したときに終了する。呼出終了信号は、来訪者Ｂ１がインターホン子機２０にて呼出を終了する操作を行うことで、インターホン子機２０から送信される。また、呼出は、例えば呼出信号をインターホン親機１０が受信してから、一定時間（例えば、数十秒）を経過したときに終了する。呼出信号は、来訪者Ｂ１がインターホン子機２０にて呼出を開始する操作を行うことで、インターホン子機２０から送信される。
【００２７】
本実施形態では、報知部１２１は、呼出が終了すると、例えば「呼出が終了しました」等のメッセージを表示部１３に表示することで、呼出が終了した旨を居住者に報知する。なお、報知部１２１は、例えば上記のメッセージを音声にて通話部１５のスピーカ１５１から出力することで、呼出が終了した旨を居住者に報知してもよい。更には、報知部１２１は、表示部１３による上記メッセージの表示、及びスピーカ１５１による上記メッセージの音声の出力の両方を行ってもよい。
【００２８】
表示部１３は、例えば液晶ディスプレイ、又は有機ＥＬ（Electro Luminescence）ディスプレイなどの薄型のディスプレイ装置である。表示部１３は、インターホン子機２０から送信される画像信号に基づいて、画像を表示する。
【００２９】
操作部１４は、居住者の操作による入力を受け付ける入力装置である。操作部１４は、通話釦１４１と、解錠釦１４２と、を有している（図２参照）。通信部１１が呼出信号をインターホン子機２０から受信している状態で、通話釦１４１に対して所定の操作（ここでは、押操作）がなされると、インターホン親機１０とインターホン子機２０との間で通話可能な状態となる。また、通信部１１が呼出信号をインターホン子機２０から受信している状態、又はインターホン子機２０との間で通話可能な状態で、解錠釦１４２に対して所定の操作（ここでは、押操作）がなされると、通信部１１から解錠信号が制御装置３０へ送信される。ここで、「呼出信号をインターホン子機２０から受信している状態」とは、インターホン子機２０からの呼出がある状態をいう。
【００３０】
また、本実施形態では、操作部１４は、表示部１３の表示面に設置されるタッチパッドを含んでいる。つまり、表示部１３と操作部１４とは、タッチパネルを構成している。したがって、操作部１４は、表示部１３に表示される操作用のアイコンを居住者がタッチすることでも、入力を受け付けることが可能である。
【００３１】
通話部１５は、スピーカ１５１及びマイクロホンを含んでおり、インターホン子機２０との間で通話可能に構成されている。本実施形態では、スピーカ１５１は、インターホン子機２０を介して来訪者Ｂ１が発した音声を出力するだけでなく、呼出時において呼出音も出力する。また、本実施形態では、スピーカ１５１は、報知部１２１に制御されることにより、呼出が終了した旨を表す音声メッセージを出力する場合もある。
【００３２】
（２．２）インターホン子機
次に、インターホン子機２０の構成について説明する。インターホン子機２０は、図１に示すように、通信部２１と、制御部２２と、撮像部２３と、操作部２４と、通話部２５と、表示部２６と、を有している。
【００３３】
通信部２１は、インターホン親機１０と通信するための通信インタフェースである。通信部２１は、伝送路を介して制御装置３０及びインターホン親機１０の通信部１１と電気的に接続されている。通信部２１は、インターホン親機１０との間で音声信号及び制御信号などの種々の信号が双方向に伝送可能となるように、インターホン親機１０の通信部１１との間で双方向に通信可能に構成されている。
【００３４】
制御部２２は、例えばプロセッサ及びメモリを有するマイクロコンピュータで構成されている。そして、プロセッサがメモリに格納されているプログラムを実行することにより、マイクロコンピュータが制御部２２として機能する。プロセッサが実行するプログラムは、ここではマイクロコンピュータのメモリに予め記録されているが、メモリーカード等の非一時的な記録媒体に記録されて提供されてもよいし、インターネット等の電気通信回線を通じて提供されてもよい。
【００３５】
制御部２２は、インターホン親機１０との間で通話が可能な状態である場合に、通話部２５のマイクロホンから来訪者Ｂ１の音声のデータ（音声信号）を受信すると、受信した音声信号を、通信部２１を介してインターホン親機１０へ送信する。また、制御部２２は、インターホン親機１０との間で通話が可能な状態である場合に、インターホン親機１０から居住者の音声信号を受信すると、受信した音声信号を通話部２５のスピーカに出力する。このときスピーカは、受信した音声信号を基に音声を出力する。また、制御部２２は、撮像部２３で撮影した画像のデータを含む画像信号を、通信部２１を介してインターホン親機１０に送信する。
【００３６】
撮像部２３は、例えばＣＣＤ（Charge Coupled Devices）イメージセンサ、又はＣＭＯＳ（Complementary Metal-Oxide Semiconductor）イメージセンサ等の二次元イメージセンサ等の撮像素子を有し、被写体（来訪者Ｂ１等）を撮影するためのカメラである。本実施形態では、来訪者Ｂ１がインターホン子機２０を操作する際に少なくとも来訪者Ｂ１の顔を撮影できるように、撮像部２３の撮影エリア（視野）は、インターホン子機２０の前方に設定される。したがって、撮像部２３は、来訪者Ｂ１のみならず、来訪者Ｂ１の背景（つまり、第２エリアＡ２）を撮影する。本実施形態では、撮像部２３は動画を撮影するカメラであるが、静止画を撮影するカメラであってもよい。また、本実施形態では、撮像部２３はカラー画像を撮影するカメラであるが、モノクローム画像を撮影するカメラであってもよい。
【００３７】
操作部２４は、来訪者Ｂ１の操作による入力を受け付ける入力装置である。操作部２４は、例えば来訪者Ｂ１が訪問先の住戸の部屋番号を入力するためのテンキースイッチ、来訪者Ｂ１が訪問先の住戸を呼び出すための第１釦、及び来訪者Ｂ１が呼出を終了するための第２釦を有している。操作部２４に対して所定の操作（例えば、第１釦の押操作）がなされると、インターホン子機２０は、呼出信号を通信部２１からインターホン親機１０へ送信する。また、操作部２４に対して所定の操作（例えば第２釦の押操作）がなされると、インターホン子機２０は、呼出終了信号を通信部２１からインターホン親機１０へ送信する。
【００３８】
通話部２５は、スピーカ及びマイクロホンを含んでおり、インターホン親機１０との間で通話可能に構成されている。なお、通話部２５のスピーカは、例えばインターホン親機１０から居住者の音声信号以外の音声信号を受信した場合に、この音声信号に基づく音声を出力してもよい。
【００３９】
表示部２６は、例えば液晶ディスプレイ、又は有機ＥＬディスプレイなどの薄型のディスプレイ装置である。表示部２６は、例えば来訪者Ｂ１が操作部２４にて訪問先の住戸の部屋番号を入力したときに、入力した部屋番号を表す画像を表示する。
【００４０】
（２．３）制御装置
次に、制御装置３０の構成について説明する。制御装置３０は、インターホン親機１０及びインターホン子機２０と通信を行うための通信インタフェースを有している。
【００４１】
制御装置３０は、インターホン子機２０から送信された信号を受信すると、受信した信号に含まれる識別番号（例えば、住戸番号）のインターホン親機１０に対して、受信した信号を送信する。インターホン子機２０から送信される信号は、例えば呼出信号、呼出終了信号、画像信号及び来訪者の音声信号などである。このとき、制御装置３０は、送信元のインターホン子機２０の識別番号を記憶する。制御装置３０は、例えば呼出が終了したとき、又は通話が終了したときに、記憶していた識別番号を破棄する。
【００４２】
また、制御装置３０は、インターホン親機１０から送信された信号を受信すると、受信した信号に含まれる識別番号が、このインターホン親機１０に対して呼出を行っているインターホン子機２０の識別番号と一致するか否かを判断する。一致する場合、制御装置３０は、受信した信号をインターホン子機２０へ送信する。一方、一致しない場合、制御装置３０は、受信した信号を破棄する。インターホン親機１０から送信される信号は、例えば居住者の音声信号などである。
【００４３】
また、制御装置３０は、第１エリアＡ１と第２エリアＡ２との間の出入口（開口部）４を開閉する扉（開閉部材）５の施錠及び解錠の制御を行う（図３参照）。例えば、制御装置３０は、インターホン親機１０から解錠信号を受信すると、扉５の解錠を行う。そして、制御装置３０は、扉５を解錠してから一定時間経過後、扉５の施錠を行う。
【００４４】
（３）動作
以下、本実施形態のインターホンシステム１の動作の一例について図４を用いて説明する。まず、来訪者Ｂ１は、インターホン子機２０の操作部２４を操作することにより、訪問先の住戸のインターホン親機１０に対する呼出を行う（Ｓ１）。これにより、インターホン子機２０から制御装置３０へ呼出信号が送信される。このとき、インターホン子機２０の撮像部２３は、来訪者Ｂ１を含む第２エリアＡ２の撮影を開始する。そして、インターホン子機２０は、撮像部２３で撮影した画像のデータを含む画像信号を、訪問先の住戸のインターホン親機１０に対して送信する。
【００４５】
呼出信号を受信した制御装置３０は、受信した呼出信号及び画像信号に含まれる識別番号のインターホン親機１０に対して、受信した呼出信号及び画像信号を送信する。このとき、制御装置３０は、呼出信号の送信元のインターホン子機２０に対して、呼出の開始を通知する呼出通知信号を送信する。呼出通知信号を受信したインターホン子機２０は、例えば表示部２６に「呼出中です」等のメッセージを表示することにより、来訪者Ｂ１に対して呼出中であることを通知する（Ｓ２）。
【００４６】
呼出信号及び画像信号を受信したインターホン親機１０は、例えば表示部１３に「呼出中です」等のメッセージを表示したり、スピーカ１５１から呼出音を出力したりすることにより、居住者に対して呼出を受けていることを通知する（Ｓ３）。このとき、インターホン親機１０は、受信した画像信号に基づく画像を表示部１３に表示する。呼出を受けていることに気付いた居住者は、操作部１４を操作することにより、インターホン親機１０及び呼出を行っているインターホン子機２０を介して、来訪者Ｂ１と通話を行うことが可能である。このとき、居住者は、必要に応じて操作部１４を操作することにより、扉５の解錠を行うことで、来訪者Ｂ１を第１エリアＡ１（つまり、居住者の住戸）へ案内することも可能である。
【００４７】
一方、例えば居住者が呼出を受けていることに気付かない、又は呼出に気付いているが居住者に応対する余裕がない等して所定の時間が経過した場合、来訪者Ｂ１は、インターホン子機２０の操作部２４にて、呼出を終了させるための操作を行う（Ｓ４）。これにより、インターホン子機２０は、呼出を終了する（Ｓ５）。呼出は、インターホン子機２０の操作部２４にて操作を受け付けていない状態で、呼出を開始してから一定時間が経過した場合にも終了する。呼出が終了すると、インターホン子機２０から制御装置３０へ呼出終了信号が送信される。呼出終了信号を受信した制御装置３０は、受信した呼出終了信号に含まれる識別番号のインターホン親機１０に対して、受信した呼出終了信号を送信する。
【００４８】
呼出終了信号を受信したインターホン親機１０は、表示部１３によるメッセージの表示、及びスピーカ１５１による呼出音の出力を停止することで、呼出を終了する。そして、インターホン親機１０は、報知部１２１により呼出が終了した旨を居住者に報知する（Ｓ６）。その後、居住者が操作部１４を操作する、又は報知を開始してから一定時間（例えば、数十秒）が経過すると、インターホン親機１０は、報知部１２１による報知を停止し、待機状態へ移行する（Ｓ７）。
【００４９】
ここで、比較例のインターホンシステムとの比較を交えて、本実施形態のインターホンシステム１（つまり、インターホン親機１０）の利点について説明する。比較例のインターホンシステムは、図５に示すように、インターホン親機１００と、インターホン子機２００と、制御装置３００と、を備えている。インターホン親機１００は、報知部１２１を備えていない点で本実施形態のインターホン親機１０と相違する。インターホン子機２０及び制御装置３００は、それぞれ本実施形態のインターホン子機２０及び制御装置３０と同じ構成である。また、図５におけるステップＳ１０〜ステップＳ１３については、それぞれ図４におけるステップＳ２〜Ｓ５と同じであるので、説明を省略する。
【００５０】
比較例のインターホンシステムでは、呼出終了信号を受信したインターホン親機１００は、表示部によるメッセージの表示、及びスピーカによる呼出音の出力を停止することで、呼出を終了する（Ｓ１４）。その後、インターホン親機１００は、居住者に対する報知を行わずに、待機状態へ移行する（Ｓ１５）。
【００５１】
比較例のインターホンシステムでは、以下のような問題が生じ得る。すなわち、インターホン親機１００が呼出終了信号を受信した後にそのまま待機状態へ移行すると、インターホン親機１００を見た居住者は、インターホン親機１００が故障したと勘違いする可能性があった。つまり、居住者は、呼出が継続している途中でインターホン親機１００が故障したために、呼出音の出力が停止し、かつ、表示部に何も表示されなくなったと勘違いする可能性があった。この勘違いは、呼出が継続している途中でインターホン親機１００が故障した場合と、呼出が終了したときにインターホン親機１００が待機状態へ移行した場合とで、インターホン親機１００の状態が同じように見えることに起因する。
【００５２】
一方、本実施形態のインターホンシステム１では、インターホン親機１０は、呼出が終了してから待機状態へ移行するまでの間に、報知部１２１により呼出が終了した旨を居住者へ報知している。このため、居住者は、呼出が終了したことを把握することができる。したがって、本実施形態では、呼出が終了したときに、インターホン親機１０に故障などの異常が発生したと居住者が勘違いしにくい、という利点がある。
【００５３】
特に、本実施形態では、インターホン親機１０は、表示部１３を更に備えている。そして、報知部１２１は、呼出が終了した旨を表す画像（メッセージ）を表示部１３に表示している。このため、本実施形態では、居住者は、表示部１３を見ることにより、呼出が終了したことを視覚的に把握しやすい、という利点がある。
【００５４】
ところで、本実施形態では、インターホン親機１０の通信部１１は、画像信号を受信することにより、インターホン子機２０の撮像部２３で撮影された画像（つまり、第２エリアＡ２にて撮影された画像）を、インターホン子機２０を介して取得可能である。そこで、報知部１２１は、呼出が終了する前に第２エリアＡ２にて撮影された画像を表示部１３に表示してもよい。この場合、呼出が終了した後においても、来訪者Ｂ１がどのような人物であったかを居住者が視覚的に把握しやすい、という利点がある。
【００５５】
（実施形態２）
実施形態２のインターホンシステム１では、インターホン親機１０が、呼出が終了した後に保留期間（後述する）を設ける点で、実施形態１のインターホン親機１０と相違する。なお、その他の構成については、実施形態１のインターホンシステム１の構成と同じであるので、以下では、説明を省略する。
【００５６】
実施形態１において、インターホン親機１０は、呼出が終了すると、呼出が終了した旨を報知した後に待機状態へ移行している。一方、本実施形態では、インターホン親機１０は、呼出が終了してから一定期間（例えば、数十秒。以下、「保留期間」ともいう）、インターホン親機１０（つまり、通信部１１）からインターホン子機２０へ通信可能な状態を維持している。このため、本実施形態では、来訪者Ｂ１からの再度の呼出を受けずとも、インターホン親機１０からインターホン子機２０への通信を試みることが可能である、という利点がある。
【００５７】
すなわち、実施形態１のインターホン親機１０は、原則、来訪者Ｂ１からの呼出を受けている期間、又は来訪者Ｂ１と居住者とが通話している期間においてのみ、インターホン子機２０との間で通信可能である。このため、呼出が終了した後においては、インターホン子機２０からの再度の呼出信号を受信するまでは、インターホン親機１０は、インターホン子機２０との間で通信を行うことができない。一方、本実施形態のインターホン親機１０は、呼出が終了した後であっても、保留期間においてはインターホン子機２０との間で通信を行うことが可能である。
【００５８】
以下、本実施形態のインターホンシステム１の動作の一例について図６を用いて説明する。以下では、来訪者Ｂ１が呼出を行っており、その後、訪問先の住戸の居住者が呼出に応対していないと仮定する。また、以下では、来訪者Ｂ１は、複数のロビーのうち「ロビー１」に訪れていると仮定する。つまり、本実施形態においては、インターホン子機２０は複数であって、複数のインターホン子機２０は、それぞれ複数の第２エリアＡ２（ここでは、ロビー）に設置されていると仮定する。言い換えれば、本実施形態のインターホンシステム１では、１つの建物が複数のロビーを有しており、複数のロビーにそれぞれ複数のインターホン子機２０が設置されていると仮定する。
【００５９】
まず、来訪者Ｂ１は、インターホン子機２０の操作部２４にて、呼出を終了させるための操作を行う（Ｓ２０）。これにより、インターホン子機２０は、呼出を終了する。このとき、インターホン子機２０は、例えば表示部２６に「呼出を終了しています」等のメッセージを表示することにより、呼出が終了した旨を来訪者Ｂ１へ報知する（Ｓ２１）。そして、インターホン子機２０は、呼出終了信号を、制御装置３０を介して訪問先の住戸のインターホン親機１０に対して送信する。このとき、呼出終了信号を受信した制御装置３０は、呼出終了信号に含まれるインターホン子機２０の識別番号を、呼出終了信号を受信してから保留期間が経過するまでの間、記憶する（Ｓ２２）。
【００６０】
呼出終了信号を受信したインターホン親機１０は、呼出を終了し、報知部１２１により呼出が終了した旨を居住者に報知する（Ｓ２３）。そして、インターホン親機１０は、保留期間の間、例えば図７に示すように、メッセージ１３１と、画像１３２と、アイコン１３３と、を表示部１３に表示する。メッセージ１３１は、例えば「ロビー１からの呼出が終了されました」等、呼出が終了したことを表すメッセージである。画像１３２は、例えば呼出時にインターホン子機２０の撮像部２３にて撮影された画像等、呼出が終了する前に「ロビー１」（第２エリアＡ２）にて撮影された画像である。アイコン１３３は、例えば「通話」等、通話が可能であることを表すアイコンである。
【００６１】
ここで、保留期間において、居住者が、通話釦を押操作する、又は表示部１３のアイコン１３３をタッチすることで（Ｓ２４）、インターホン親機１０は、通話要求信号を制御装置３０へ送信する。通話要求信号は、呼出信号の送信元のインターホン子機２０との通話を要求する信号であり、呼出信号の送信元のインターホン子機２０の識別番号を含んでいる。つまり、保留期間においては、インターホン親機１０は、呼出信号に含まれるインターホン子機２０の識別番号を記憶している。
【００６２】
通話要求信号を受信した制御装置３０は、通話要求信号に含まれるインターホン子機２０の識別番号と、一時的に記憶しているインターホン子機２０の識別番号とを照合する。識別番号が一致する場合、制御装置３０は、通話要求信号の送信元のインターホン親機１０と、呼出信号の送信元のインターホン子機２０と、にそれぞれ通話信号を送信する。これにより、来訪者Ｂ１と居住者とが、インターホン子機２０及びインターホン親機１０を介して通話を行うことが可能である（Ｓ２６，Ｓ２７）。一方、識別番号が一致しない場合、制御装置３０は、通話要求信号を破棄する。
【００６３】
上述のように、本実施形態では、インターホン親機１０の通信部１１は、一定期間（保留期間）にて、居住者（利用者）の操作に応じて、呼出を行ったインターホン子機２０との通話を要求する通話要求信号を送信する。保留期間にて通話ができない場合、以下のような問題が生じ得る。すなわち、来訪者Ｂ１は、居住者が呼出に応答しない場合、居住者が不在であると考えて立ち去る可能性がある。このとき、保留期間がなければ、インターホン親機１０からインターホン子機２０へと通話を要求することができないので、来訪者Ｂ１が立ち去るのを避けることができず、来訪者Ｂ１が再び来訪するのを待つしかない、という問題があった。一方、本実施形態では、保留期間にてインターホン親機１０からインターホン子機２０に対して通話を要求することができる。このため、本実施形態では、来訪者Ｂ１からの再度の呼出を受けずとも、居住者と来訪者Ｂ１との間で通話を行うことができる、という利点がある。
【００６４】
また、本実施形態では、報知部１２１は、表示部１３にメッセージ１３１を表示することにより、複数のインターホン子機２０のうちいずれのインターホン子機２０からの呼出であるかを表す情報を居住者（利用者）へ報知している。このため、本実施形態では、呼出の終了後において、どのインターホン子機２０（つまり、どのロビー（第２エリアＡ２））からの呼出であったかを居住者が把握することができる、という利点がある。本実施形態では、１つの建物が複数のロビーを有している場合を想定しているが、例えば複数の建物のそれぞれにロビーが設けられている場合にも、この態様は適用可能である。この場合、居住者は、どの建物のロビーからの呼出であったかを把握することができる。
【００６５】
ところで、インターホン親機１０の通信部１１は、一定期間（保留期間）にて、居住者（利用者）の操作に応じて、呼出を行ったインターホン子機２０に対する呼出を要求する呼出要求信号を送信してもよい。この態様は、例えば、保留期間において、アイコン１３３の代わりに、「呼出」等、呼出が可能であることを表すアイコンを表示部１３に表示することで実現可能である。この場合、保留期間において、居住者が表示部１３のアイコンにタッチすることで、インターホン親機１０は、呼出要求信号を制御装置３０へ送信する。呼出要求信号は、通話要求信号と同様に、呼出信号の送信元のインターホン子機２０の識別番号を含んでいる。
【００６６】
呼出要求信号を受信した制御装置３０は、通話要求信号の場合と同様に、識別番号の照合を行い、識別番号が一致すれば、呼出通知信号を呼出信号の送信元のインターホン子機２０へ送信する。呼出通知信号を受信したインターホン子機２０は、スピーカから呼出音を出力することにより、来訪者Ｂ１を呼び出す。この態様では、居住者から来訪者Ｂ１を呼び出すことにより、来訪者Ｂ１がロビー（第２エリアＡ２）から立ち去るのを回避しやすい、という利点がある。
【００６７】
（変形例）
上述の実施形態１，２は、本開示の様々な実施形態の一つに過ぎない。上述の実施形態１，２は、本開示の目的を達成できれば、設計等に応じて種々の変更が可能である。また、インターホン親機１０と同様の機能は、制御方法、コンピュータプログラム、又はコンピュータプログラムを記録した非一時的記録媒体等で具現化されてもよい。
【００６８】
一態様に係る制御方法は、インターホン親機１０として機能する機器の制御方法である。インターホン親機１０は、利用者が利用する第１エリアＡ１に設けられて、第２エリアＡ２に設置されたインターホン子機２０が来訪者Ｂ１による操作を受けることをトリガとして、インターホン子機２０との間で通信可能に構成されている。この制御方法は、インターホン子機２０からの呼出が終了すると、呼出が終了した旨を利用者へ報知させる。
【００６９】
一態様に係るプログラムは、インターホン親機１０として機能する機器を制御するためのプログラムである。インターホン親機１０は、利用者が利用する第１エリアＡ１に設けられて、第２エリアＡ２に設置されたインターホン子機２０が来訪者Ｂ１による操作を受けることをトリガとして、インターホン子機２０との間で通信可能に構成されている。このプログラムは、コンピュータシステムに、報知処理を実行させるためのプログラムである。報知処理は、インターホン子機２０からの呼出が終了すると、呼出が終了した旨を利用者へ報知させる処理である。
【００７０】
ここで、上記の「機器」は、インターホン親機１０自体であってもよいし、インターホン親機１０に通信可能に接続されて、インターホン親機１０の代わりにインターホン親機１０としての機能を発揮する機器であってもよい。このような機器は、例えば、スマートフォン、タブレット端末等の携帯端末、又はモニタ付副親機などがある。機器が携帯端末の場合は、例えばインターホン親機１０としての機能を実行可能なアプリケーションを機器にインストールすることで、機器をインターホン親機１０として機能させることが可能である。
【００７１】
以下、上述の実施形態１，２の変形例を列挙する。以下に説明する変形例は、適宜組み合わせて適用可能である。
【００７２】
本開示におけるインターホン親機１０は、例えば、制御部１２（報知部１２１を含む）等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御部１２等の機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００７３】
上述の実施形態２において、インターホン子機２０は、呼出が終了してから一定期間（保留期間）、インターホン子機２０と通信部１１との間で通信可能な状態である旨を来訪者Ｂ１へ報知してもよい。例えば、インターホン子機２０は、表示部２６に「しばらくお待ちください」等のメッセージを表示したり、インターホン子機２０に備え付けのランプを点滅させたりすることで、来訪者Ｂ１へ報知することが可能である。この態様では、呼出が終了した後においても、居住者（利用者）からの何らかの反応があることを来訪者Ｂ１が期待して、来訪者Ｂ１がロビー（第２エリアＡ２）から立ち去らずに留まる可能性を高くすることができる、という利点がある。
【００７４】
上述の実施形態２において、保留期間は、来訪者Ｂ１がインターホン子機２０の操作部２４を操作することでキャンセルすることが可能であってもよい。例えば、来訪者Ｂ１が配送業者であって、複数の住戸に対して宅配を予定している場合、任意の一の住戸の居住者が呼出に対して応答しない場合、続けて他の住戸の居住者を呼び出す場合がある。このような場合、保留期間が終了するのを待って他の住戸の居住者を呼び出すと余計な時間を費やすことになるので、保留期間をキャンセルして他の住戸の居住者の呼出を行うのが好ましい。また、保留期間は、居住者がインターホン親機１０の操作部１４を操作することでキャンセルすることが可能であってもよい。
【００７５】
また、１人目の来訪者Ｂ１が立ち去った直後に保留期間が継続していれば、２人目の来訪者Ｂ１は未だ呼出を行っていないにも関わらず、呼出が保留されている状態でインターホン子機２０を操作することになる。このような場合、上述のように保留期間をキャンセルして改めて２人目の来訪者Ｂ１による呼出を可能とするのが好ましい。
【００７６】
また、来訪者Ｂ１が保留期間をキャンセルした場合、キャンセルした旨をインターホン親機１０に通知するのが好ましい。このとき、来訪者Ｂ１が保留期間をキャンセルしたときの画像をインターホン親機１０の表示部１３に表示させてもよい。この場合、来訪者Ｂ１がどのような人物であるかを居住者が把握することができる、という利点がある。
【００７７】
また、上述の実施形態２において、インターホン親機１０の表示部１３は、保留期間の残り時間を表示してもよい。この場合、居住者（利用者）は、呼出の終了後において、来訪者Ｂ１と通話が可能な時間がどれだけ残っているかを把握することができる、という利点がある。また、上述の実施形態２において、インターホン子機２０の表示部２６は、保留期間の残り時間を表示してもよい。この場合、来訪者Ｂ１は、呼出の終了後において、居住者（利用者）からの何らかの反応を期待できる時間がどれだけ残っているかを把握することができる、という利点がある。
【００７８】
上述の実施形態１，２において、インターホン親機１０の待機状態は、表示部１３に何も表示されていない状態であるが、待機状態において何らかの処理を実行していてもよい。例えば、インターホン親機１０は、待機状態において、管理室から居住者に対するお知らせがあること等、他の情報を知らせるためのランプを点灯させていてもよい。
【００７９】
上述の実施形態１，２において、報知部１２１は、例えばインターホン親機１０に備え付けのランプを点灯させることにより、呼出が終了した旨を居住者（利用者）に報知してもよい。この場合、上述の他の情報を知らせるためのランプの点灯方式とは異なる方式でランプを点灯させるのが好ましい。
【００８０】
上述の実施形態１，２において、呼出が終了したときに表示部１３に表示される画像は、来訪者Ｂ１が呼出を行った時点の画像であるが、これに限定する趣旨ではない。例えば、呼出が終了したときに表示部１３に表示される画像は、来訪者Ｂ１が呼出を終了する操作を行った時点の画像であってもよいし、呼出中における任意の時点の画像であってもよい。
【００８１】
上述の実施形態１，２において、インターホン子機２０は、来訪者Ｂ１が操作部２４を操作することで呼出が終了したときに、例えば表示部２６に「呼出を終了しました」等のメッセージを表示することで、呼出が終了した旨を来訪者Ｂ１へ報知してもよい。つまり、インターホン子機２０は、インターホン親機１０の通信部１１との間で通信可能であり、呼出が終了すると、呼出が終了した旨を来訪者Ｂ１へ報知してもよい。この態様では、呼出が終了した旨を来訪者Ｂ１へ報知しない場合と比較して、呼出が終了した後においても、来訪者Ｂ１がロビー（第２エリアＡ２）から立ち去らずに留まる可能性を高くすることができる、という利点がある。
【００８２】
上述の実施形態１，２において、インターホン親機１０及びインターホン子機２０が、それぞれ制御装置３０の機能を代替する場合、制御装置３０はインターホンシステム１に必須の構成要件ではない。つまり、インターホンシステム１は、インターホン親機１０と、インターホン子機２０と、を備えていればよい。
【００８３】
上述の実施形態１，２では、インターホン子機２０はロビーインターホンであるが、これに限定する趣旨ではない。例えば、インターホン子機２０は、住戸の外玄関に設置されるインターホンであってもよい。また、上述の実施形態１，２では、インターホンシステム１は集合住宅に適用されているが、これに限定する趣旨ではない。例えば、インターホンシステム１は、オフィス、工場等の非住宅、又は戸建てに適用されてもよい。つまり、インターホンシステム１においては、利用者が利用する第１エリアＡ１にインターホン親機１０が、第１エリアＡ１とは異なる第２エリアＡ２にインターホン子機２０が設置されていればよい。
【００８４】
（まとめ）
以上述べたように、第１の態様に係るインターホン親機（１０）は、通信部（１１）と、報知部（１２１）と、を備える。通信部（１１）は、利用者が利用する第１エリア（Ａ１）に設けられて、第２エリア（Ａ２）に設置されたインターホン子機（２０）が来訪者による操作を受けることをトリガとして、インターホン子機（２０）との間で通信可能に構成されている。報知部（１２１）は、インターホン子機（２０）からの呼出が終了すると、呼出が終了した旨を利用者へ報知する。
【００８５】
この態様によれば、呼出が終了したときに、インターホン親機（１０）に故障などの異常が発生したと利用者が勘違いしにくい、という利点がある。
【００８６】
第２の態様に係るインターホン親機（１０）は、第１の態様において、表示部（１３）を更に備える。報知部（１２１）は、呼出が終了した旨を表す画像を表示部（１３）に表示する。
【００８７】
この態様によれば、呼出が終了したことを利用者が視覚的に把握しやすい、という利点がある。
【００８８】
第３の態様に係るインターホン親機（１０）では、第２の態様において、通信部（１１）は、第２エリア（Ａ２）にて撮影された画像を、インターホン子機（２０）を介して取得可能である。報知部（１２１）は、呼出が終了する前に第２エリア（Ａ２）にて撮影された画像を表示部（１３）に表示する。
【００８９】
この態様によれば、呼出が終了した後においても、来訪者（Ｂ１）がどのような人物であったかを利用者が視覚的に把握しやすい、という利点がある。
【００９０】
第４の態様に係るインターホン親機（１０）は、第１〜第３のいずれかの態様において、呼出が終了してから一定期間、通信部（１１）からインターホン子機（２０）へ通信可能な状態を維持する。
【００９１】
この態様によれば、来訪者（Ｂ１）からの再度の呼出を受けずとも、インターホン親機（１０）からインターホン子機（２０）への通信を試みることが可能である、という利点がある。
【００９２】
第５の態様に係るインターホン親機（１０）では、第４の態様において、通信部（１１）は、一定期間にて、利用者の操作に応じて、呼出を行ったインターホン子機（２０）との通話を要求する通話要求信号を送信する。
【００９３】
この態様によれば、来訪者（Ｂ１）からの再度の呼出を受けずとも、利用者と来訪者（Ｂ１）との間で通話を行うことができる、という利点がある。
【００９４】
第６の態様に係るインターホン親機（１０）では、第４又は第５の態様において、通信部（１１）は、一定期間にて、利用者の操作に応じて、呼出を行ったインターホン子機（２０）に対する呼出を要求する呼出要求信号を送信する。
【００９５】
この態様によれば、利用者から来訪者（Ｂ１）を呼び出すことにより、来訪者（Ｂ１）が第２エリア（Ａ２）から立ち去るのを回避しやすい、という利点がある。
【００９６】
第７の態様に係るインターホン親機（１０）では、第１〜第６のいずれかの態様において、インターホン子機（２０）は複数である。複数のインターホン子機（２０）は、それぞれ複数の第２エリア（Ａ２）に設置されている。報知部（１２１）は、複数のインターホン子機（２０）のうちいずれのインターホン子機（２０）からの呼出であるかを表す情報を利用者へ報知する。
【００９７】
この態様によれば、呼出の終了後において、どのインターホン子機（２０）（言い換えれば、どの第２エリア（Ａ２））からの呼出であったかを利用者が把握することができる、という利点がある。
【００９８】
第８の態様に係るインターホンシステム（１）は、第１〜第７のいずれかの態様のインターホン親機（１０）と、インターホン子機（２０）と、を備える。
【００９９】
この態様によれば、呼出が終了したときに、インターホン親機（１０）に故障などの異常が発生したと利用者が勘違いしにくい、という利点がある。
【０１００】
第９の態様に係るインターホンシステム（１）では、第８の態様において、インターホン子機（２０）は、呼出が終了してから一定期間、インターホン子機（２０）と通信部（１１）との間で通信可能な状態である旨を来訪者（Ｂ１）へ報知する。
【０１０１】
この態様によれば、呼出が終了した後においても、来訪者（Ｂ１）が第２エリア（Ａ２）から立ち去らずに留まる可能性を高くすることができる、という利点がある。
【０１０２】
第１０の態様に係るインターホン子機（２０）は、第１〜第７のいずれか１項に記載のインターホン親機（１０）の通信部（１１）との間で通信可能に構成されている。インターホン子機（２０）は、呼出が終了すると、呼出が終了した旨を来訪者（Ｂ１）へ報知する。
【０１０３】
この態様によれば、呼出が終了した後においても、来訪者（Ｂ１）が第２エリア（Ａ２）から立ち去らずに留まる可能性を高くすることができる、という利点がある。
【０１０４】
第１１の態様に係る制御方法は、インターホン親機（１０）として機能する機器の制御方法である。インターホン親機（１０）は、利用者が利用する第１エリア（Ａ１）に設けられている。インターホン親機（１０）は、第２エリア（Ａ２）に設置されたインターホン子機（２０）が来訪者（Ｂ１）による操作を受けることをトリガとして、インターホン子機（２０）との間で通信可能に構成されている。この制御方法は、インターホン子機（２０）からの呼出が終了すると、呼出が終了した旨を利用者へ報知させる。
【０１０５】
この態様によれば、呼出が終了したときに、インターホン親機（１０）に故障などの異常が発生したと利用者が勘違いしにくい、という利点がある。
【０１０６】
第１２の態様に係るプログラムは、インターホン親機（１０）として機能する機器を制御するためのプログラムである。インターホン親機（１０）は、利用者が利用する第１エリア（Ａ１）に設けられて、第２エリア（Ａ２）に設置されたインターホン子機（２０）が来訪者（Ｂ１）による操作を受けることをトリガとして、インターホン子機（２０）との間で通信可能に構成されている。このプログラムは、コンピュータシステムに、報知処理を実行させるためのプログラムである。報知処理は、インターホン子機（２０）からの呼出が終了すると、呼出が終了した旨を利用者へ報知させる処理である。
【０１０７】
この態様によれば、呼出が終了したときに、インターホン親機（１０）に故障などの異常が発生したと利用者が勘違いしにくい、という利点がある。
【０１０８】
第２〜第７の態様に係る構成については、インターホン親機（１０）に必須の構成ではなく、適宜省略可能である。また、第９の態様に係る構成については、インターホンシステム（１）に必須の構成ではなく、適宜省略可能である。
【符号の説明】
【０１０９】
１  インターホンシステム
１０  インターホン親機
１１  通信部
１２１  報知部
１３  表示部
２０  インターホン子機
Ａ１  第１エリア
Ａ２  第２エリア
Ｂ１  来訪者
【図１】
2019140580.tif 000003
【図２】
2019140580.tif 000004
【図３】
2019140580.tif 000005
【図４】
2019140580.tif 000006
【図５】
2019140580.tif 000007
【図６】
2019140580.tif 000008
【図７】
2019140580.tif 000009